(57)【要約】【課題】  脚力の弱い患者や脳梗塞による半身不随の患者が病院の病室からお手洗いまでの歩行の際にサンダルやスリッパなど突っ掛けの履物のずれ落ちや脱落などの不都合の解消等。【解決手段】  従来の病院や、一般家庭などで使用しているサンダルやスリッパなど突っ掛けの履物の甲部面（１）にボタン（Ｂ）を縫い付けて履物のずれ落ちや脱落を防止するための帯状ゴム（２）を取り付けられることを特徴とすることにより、この課題を解決する。【選択図】図１
0003128490.tif 000002
【実用新案登録請求の範囲】
【請求項１】
サンダルやスリッパなど突っ掛けの履物の甲部面（１）にボタン（Ｂ）を縫い付けて履物のずれ落ちや脱落を防止する幅広ゴム（２）を取り付けられることを設けることを特徴とするおたすけゴム。
【請求項２】
幅広ゴム（２）にボタン（Ｂ）を止めるボタン止め穴（Ｔ）を４ヶ所設けることにより長さの調整ができることを特徴とする請求項１に記載のおたすけゴム。
【考案の詳細な説明】
【技術分野】
【０００１】  本考案は、サンダルやスリッパなどの突っ掛けの履物に関する。
【背景技術】
【０００２】  従来のサンダルやスリッパなどの突っ掛けの履物では、ずれ落ちや脱落があった。
【考案の開示】
【考案が解決しようとする課題】
【０００３】  しかし、これでは、病院などのリハビリー歩行時の際に、サンダルやスリッパなど突っ掛けの履物のずれ落ちや脱落などの不都合があり、歩行練習に集中できず何度もサンダルやスリッパなど突っ掛けを履き直すことが不便である。
【課題を解決するための手段】
【０００４】  そこで、従来の病院や一般家庭で使用しているサンダルやスリッパなど突っ掛けの履物の甲部面（１）にボタン（Ｂ）を縫い付け履物のずれ落ちや脱落を防止する幅広ゴム（２）を取り付けられることを設けることを特徴とすることにより、この課題を解決する。（図１参照）
【考案の効果】
【０００５】  よって、本考案のおたすけゴムにより、リハビリー歩行時の際にサンダルやスリッパなど突っ掛けの履物のずれ落ちや脱落などの不都合がなくなり、リハビリー歩行時でも歩行練習に集中することができ、上達や回復も早くなり、又、転倒の心配も無く安全である。幅広ゴムは長さの調整が可能であり、さらに、取り替えもできるので衛生的にも問題ない。
【考案を実施するための最良の形態】
【０００６】  本考案に係るおたすけゴムは（図１）に示すように、サンダルやスリッパなど突っ掛けの履物の甲部面（１）にボタン（Ｂ）を縫い付け、幅広ゴム（２）はボタン止め穴（Ｔ）を４ヶ所設けることで長さを調整できることを特徴とする。さらに、サンダルはＬ・Ｍ・Ｓ等サイズの大きさがあるがスリッパは同じサイズが一般的で左右対称であるため足の大きさに合せて幅広ゴム（２）の長さを調整できるようにボタン止め穴（Ｔ）を４ヶ所使い、外外Ｌ・外内Ｍ・内内Ｓで組合せることが望ましい。素材は一般市場で市販されているものでも良いが、汚れが目立たなくサンダルやスリッパとの色の組合せが美しいほうが望ましい。又、ボタン（Ｂ）もワンポイントなので通常より大きめで個性的な明るい色のほうが望ましい。
【図面の簡単な説明】
【０００７】
【図１】  本考案に係るおたすけゴムをスリッパに使用した状態のイメージ図である。
【図２】  従来のスリッパのイメージ図である。
【図３】  本考案に係るおたすけゴムの平面図である。
【図４】  従来のボタンの平面図である。
【符号の説明】
【０００８】          Ａ            足踏み面
Ｂ            ボタン
Ｔ            ボタン止め穴
１            甲部面
２            幅広ゴム
【図１】
0003128490.tif 000003
【図２】
0003128490.tif 000004
【図３】
0003128490.tif 000005
【図４】
0003128490.tif 000006
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
スリッパなど突っ掛けの履物の甲部面（１）にボタン（Ｂ）を縫い付けて履物のずれ落ちや脱落を防止するための帯状ゴム（２）を取り付けられることを特徴とする脱落防止スリッパ。
【請求項２】
帯状ゴム（２）にボタン（Ｂ）を留めるボタン留め穴（Ｔ）を４ヶ所設けることにより長さの調節ができることを特徴とする請求項１に記載の脱落防止スリッパ。
【手続補正２】
【補正対象書類名】明細書
【補正対象項目名】全文
【補正方法】変更
【補正の内容】
【考案の詳細な説明】
【技術分野】
【０００１】  本考案は、サンダルやスリッパなど突っ掛けの履物に関する。
【背景技術】
【０００２】  従来のサンダルやスリッパなど突っ掛けの履物では、ずれ落ちや脱落があった。
【考案の開示】
【考案が解決しようとする問題】
【０００３】  しかし、これでは、脚力の弱い患者や脳梗塞などによる半身不随の患者が病院の病室からお手洗いまでの歩行の際に、サンダルやスリッパなど突っ掛けの履物のずれ落ちや脱落などの不都合があり、歩行時に何度もサンダルやスリッパなど履き直すことが不便である。
【課題を解決するための手段】
【０００４】  そこで、従来の病院や一般家庭などで使用しているサンダルやスリッパなど突っ掛けの履物の甲部面（１）にボタン（Ｂ）を縫い付け履物のずれ落ちや脱落を防止するための帯状ゴム（２）を取り付けられることを特徴とすることによりこの課題を解決する。（図１参照）
【考案の効果】
【０００５】  よって、本考案の脱落防止スリッパを使用することにより、脚力の弱い患者や脳梗塞などによる半身不随の患者が病院の病室からお手洗いまでの歩行の際にサンダルやスリッパなど突っ掛けの履物のずれ落ちや脱落などの不都合がなくなり、歩行に集中することができるため上達や回復もはやくなる。また、転倒の心配もなく安全である。さらに、帯状ゴムは長さの調節が可能であり取り替えもできるので衛生的にも問題ない。
【考案を実施するための最良の形態】
【０００６】  本考案に係る脱落防止スリッパ（図１）に示すように、サンダルやスリッパなど突っ掛けの履物の甲部面（１）にボタン（Ｂ）を縫い付け、帯状ゴム（２）はボタン留め穴（Ｔ）を４ヶ所設けたことで長さの調節ができることを特徴とする。さらに、サンダルはＬ・Ｍ・Ｓ等のサイズがあるがスリッパは同じサイズが一般的で左右対称であるため足の大きさに合せて帯状ゴム（２）の長さを調節できるようにボタン留め穴を４ヶ所設けているので留め穴の組合せによる使い方外外Ｌ・外内Ｍ・内内Ｓで組合せることが望ましい。素材は一般市場で市販されている帯状ゴムでも良いが、汚れが目立たなくサンダルやスリッパとの色の組合せが美しいほうが望ましい。また、ボタン（Ｂ）もワンポイントなので個性的な明るい色のほうが望ましい。
【図面の簡単な説明】
【０００７】
【図１】本考案に係る帯状ゴムをスリッパに使用した状態のイメージ図である。
【図２】従来のスリッパのイメージ図である。
【図３】本考案に係る帯状ゴムの平面図である。
【図４】本考案に係るボタンの平面図である。
【符号の説明】
【０００８】    Ａ          足踏み面
Ｂ          ボタン
Ｔ          ボタン留め穴
１          甲部面
２          帯状ゴム